(57)【要約】      （修正有）【課題】電動車椅子の機能を拡大し、且つ多種の段差や階段を昇降するスロープを提供する。【解決手段】電動車椅子の車軸に歯車を取り付け、搬送用チェーンを設置したスロープを歯車で昇降する。登りの場合、的確にスロープに進行する補助機器を使い、スロープへ進行する。登り目的地点に到達し時、スロープの一部を回転させ平面に安定的に着地する。降りる場合、的確にスロープに進行する補助機器を使い、スロープへ進行する。スロープを進行し、スロープの一部を回転させスロープの登坂角度に合わせ、電動車椅子を進行させる。安全な運用について、電動車椅子の転倒防止の為、電動車椅子の車軸を延長し、その延長した車軸部分との転倒防止の補助材により転倒を防止する。【選択図】図２９
0003166308.tif 000002
【実用新案登録請求の範囲】
【請求項１】
本考案の請求範囲は、電動車椅子をスロープに的確に進行させる補助機器の機能、電動車椅子の車軸に取り付けた歯車と搬送用のチェーンによりスロープを昇降する機能、目的の地点の平面に安定的に着地する機能、電動車椅子の昇降中の転倒を防止する機能からなる。
スロープに的確に進行させる補助機について
電動車椅子の車輪用にガイドレール（図０８の１，２）を設置し、電動車椅子の全体の進行方向を定める。
電動車椅子がクローラ走行に切り替えた後、クローラのガイド（図０１の４）により電動車椅子の進行側の方向を矯正する、ローラ（図０３の６）上のクローラの後方は、矯正の動作により左右のどちらかに移動し、クローラのガイドを通過する。
搬送用チェーンを取り付けたスロープについて
車軸に歯車（図２２の２２，２４）を取り付けた電動車椅子は、搬送用のチェーン上（図１４）を昇り、登り目的地点に到達し時、兆番（図１５の１２）を中心スロープの一部を回転させ平面に安定的に着地させる。
電動車椅子の転倒を防止について
電動車椅子の転倒防止の為、電動車椅子の車軸を延長し（図２２の２３，２５）、その延長した車軸部分との転倒防止の補助材（図２３の２６，２７）により転倒防止。
【考案の詳細な説明】
【技術分野】
【０００１】本考案は、電動車椅子に歯車取り付け、その歯車と搬送用チェーンを使いスロープを昇降する電動車椅子に関するものである。
【背景技術】
【０００２】従来の車椅子の補助機器は、壁面の強度を利用した搬送機器が多い。
現実は、壁面を使えないが無い場合が多い、２階建てアパートの階段、道路から玄関までの段数が少ないが急な階段、階段の各段の高さが不規則な階段、段毎にピッチが異なる階段、これらの障害は、解決されていない。
【先行技術文献】
既に部品として販売されている搬送用チェーンとこれに対応する歯車を検討する。
メーカ名    ：江沼チエン製作所
メーカ住所  ：石川県加賀市上河崎町３００
メーカ連絡先：ｔｅｌ０７６１−７２−０２８６
0003166308.tif 000003
【考案の概略】
【考案が解決しようとする課題】
【０００３】電動車椅子の機能を拡大し、且つ多種の段差や階段を昇降するスロープを提供する。
【課題を解決するための手段】
【０００４】電動車椅子の車軸に歯車を取り付け、昇降用のスロープに搬送用のチェーンを取り付ける。
該当歯車とチェーンが、噛み合う事で、クローラで登坂出来ない条件において、昇降可能となる。
本考案は、電動車椅子（実用新案３１３２６７７号）にある機能で、座席が登坂角度に対応する機能が必要である。
【考案の効果】
【０００５】１台の電動車椅子の使い勝手の向上で、且つ道路事情の多種の障害を解消でき、高齢者の介護や経済の負担が大幅に軽減される。
【考案を実施するための最良の形態】
【０００６】補助機器を使う事で電動車椅子が、自力で的確にスロープに進行する。
電動車椅子（実用新案３１３２６７７号）に準じた電動車椅子の車軸に歯車を取り付け、登坂用のスロープに搬送用のチェーンを取り付け、車軸に取り付けた歯車で搬送用チェーン上を昇降する。
該当電動車椅子が、目的地に安全に着地する為、スロープの一部を回転させ電動車椅子を安全に着地させる。
【産業上の利用可能性】
【０００７】搬送用の歯車とチェーンは、汎用製品として市販されている。【０００８】登坂用のスロープ市販のアルミ建材を使用。
【図面の簡単な説明】
【０００９】
【図０１】電動車椅子の方向を正確し搬送用スロープに向ける補助機器電動車椅子の車輪用ガイドレール１と２、電動車椅子の方向を修正するローラ３、クローラの方向を修正するガイド４からなる。
【図０２】搬送用スロープに向ける補助機器をＸとＹの位置から見えた内部構造
【図０３】ローラ（図０１の３）の拡大図、電動車椅子の方向を修正するローラ３は、ローラ本体６ローラ受軸７、ローラ受７からなり、各部品の位置を示す。
【図０４】ローラ受７の正面図と側面図でローラ６を２個のローラ受７で支える。ローラ受７の機能は、上部にある球体が空回りをする。
【図０５】ローラ軸受７の正面図と側面図で、ローラは、軸受対して空回りをする
【図０６】電動車椅子が、搬送用スロープに向ける補助機器に車輪のガイド（図０１の１，２）に従い進行した状態。
【図０７】電動車椅子の側面図で、進行した位置を示す。
【図０８】ａとｂは後輪の位置、ｃとｄは、前輪の位置。
【図０９】電動車椅子が、図０８の位置で、車輪を持ち上げクローラ走行に切り替え状態。
【図１０】電動車椅子が、図０８の位置で、車輪を持ち上げクローラ走行に切り替え状態の側面図。
【図１１】Ｐ１おいてクローラは、搬送用スロープに向ける補助機器の床に面で接地しているＰ２においてクルーラは、ローラ（図０３の６）の上にあり、点で接地している。
【図１２】クローラのガイド（図１１の４）に順じて、クローラが進行し、複数のクローラのガイドとＰ３のグリップ力により、ローラ（図０３の６）上の後方Ｐ４のクローラは、点で接している為、左右どちらかに移動しながら、正確にクローラのガイドを通過する。
【図１３】クローラのガイド拡大図、クローラのガイドは、円柱状でクローラの進行方向に空回りする。
【図１４】電動車椅子の登坂用スロープに搬送用チェーンを取り付けた全体を示す。
【図１５】電動車椅子の登坂用スロープは、固定されているスロープと兆番１２で回転する部分からなる。
【図１６】搬送用チェーンの側面図。
【図１７】搬送用チェーンをスロープの固定するアタッチメントを示す。
【図１８】電動車椅子の側面。
【図１９】走行車輪を持ち上げ椅子を傾け、登坂の準備状態を示す。
【図２０】説明用に拡大したクローラの側面図。
【図２１】説明用に拡大したクルーラの正面図。
【図２２】説明用に拡大したクローラの平面図、車軸と取り付けた歯車（２２，２４）と転倒防止用の延長した車軸（２３、２５）を示す。
【図２３】クローラが、スロープに取り付けた搬送用チェーン上を登坂した状態、図２３に示す歯車２４は、車軸に対して空回りし、歯車２２は、車軸に固定され回転する。転倒防止の部材２７とそれを支える２６により、車軸の延長部２３，２５とスロープとの間隔を一定に保ち、電動車椅子の転倒を防止する。
【図２４】クローラ部分を強調し電動車椅子がスロープを昇降する状態。
【図２５】電動車椅子とスロープの関係を示す為のクローラ部分。
【図２６】電動車椅子が、Ａ地点から登坂し登坂の位置１５に達した状態。
【図２７】登坂の位置１５に達した時、回転防止台１３を回転させ、兆番１２を中心としてスロープ１１が回転する。
【図２８】電動車椅子が、固定した搬送用チェーン１０上にある状態。
【図２９】電動車椅子が、兆番１２を中心として登坂の位置１５に達した状態。
【符号の説明】
【００１０】１：電動車椅子の車輪の外側のガイドレール
２：電動車椅子の車輪の内側のガイドレール
３：クローラの位置補正用ローラー式
４：クローラの進行ガイド
５：電動車椅子の車輪止めの直方体
６：クローラの位置補正用のローラ
７：クローラの位置補正用のローラの車軸受
８：クローラの位置補正用のローラの受
９：電動車椅子の登坂用スロープ
１０：登坂用スロープに固定されたチェーンスロープ
１１：登坂用スロープと兆番で、回転されるチェーンスロープ
１２：チェーンスロープ１１を回転させる兆番
１３：チェーンスロープ１１の回転防止台
１４：チェーンスロープの開始地点
１５：チェーンスロープの目的地点
１６：チェーンスロープの回転後の衝撃吸収材
１７：固定されたスロープに設置されたチェーン
１８：回転用スロープに設置されたチェーン
１９：搬送用チェーンの側面
２０：搬送用チェーンのスロープ取り付けアタッチメント
２１：電動車椅子の拡大したクローラ部分のベルトとグリップ
２２：クローラの車軸を延長し取り付けた歯車、但し車軸に固定され回転する
２３：電動車椅子の安全性の為、延長したクローラの車軸
２４：クローラの車軸を延長し取り付けた歯車、但し車軸に対して空回りとする
２５：電動車椅子の安全性の為、延長したクローラの車軸
２６：クローラの延長した車軸とスロープの間隔を保つ部材の支え
２７：クローラの延長した車軸とスロープの間隔を保つ部材
２８：搬送用チェーンとスロープに取り付け状態
【図０１】
0003166308.tif 000004
【図０２】
0003166308.tif 000005
【図０３】
0003166308.tif 000006
【図０４】
0003166308.tif 000007
【図０５】
0003166308.tif 000008
【図０６】
0003166308.tif 000009
【図０７】
0003166308.tif 000010
【図０８】
0003166308.tif 000011
【図０９】
0003166308.tif 000012
【図１０】
0003166308.tif 000013
【図１１】
0003166308.tif 000014
【図１２】
0003166308.tif 000015
【図１３】
0003166308.tif 000016
【図１４】
0003166308.tif 000017
【図１５】
0003166308.tif 000018
【図１６】
0003166308.tif 000019
【図１７】
0003166308.tif 000020
【図１８】
0003166308.tif 000021
【図１９】
0003166308.tif 000022
【図２０】
0003166308.tif 000023
【図２１】
0003166308.tif 000024
【図２２】
0003166308.tif 000025
【図２３】
0003166308.tif 000026
【図２４】
0003166308.tif 000027
【図２５】
0003166308.tif 000028
【図２６】
0003166308.tif 000029
【図２７】
0003166308.tif 000030
【図２８】
0003166308.tif 000031
【図２９】
0003166308.tif 000032
【手続補正書】
【提出日】平成22年10月27日(2010.10.27)
【手続補正１】
【補正対象書類名】実用新案登録請求の範囲
【補正対象項目名】全文
【補正方法】変更
【補正の内容】
【実用新案登録請求の範囲】
【請求項１】
電動車椅子用スロープにおいて、
（１）スロープの方向に前輪を主にガイドするブロック状のガイドと後輪を主にガイドする板状のガイドから成るガイドレール、ガイドレールは電動車椅子の車輪右側用と左側用と２組あり板状の台に取り付けられ、
（２）クローラ走行に切り替えた後、スロープの方向に先頭位置を矯正する円柱状のガイドローラ、後方のクローラの位置を矯正する棒状のガイドローラあり、クローラの先頭位置を補正するガイドローラは、８個ローラから成り、後方位置を補正するガイドローラは、左右の２本から成る、ガイドローラは、板状の台に取り付けられ、
（３）スロープは、登り開始地点と登り目的地点に角柱状の部材の上に設置され角柱状の上に固定され部分と、スロープを登り目的地点に到達し時、兆番を中心に回転するスロープ部分からなり、
（４）クローラの車軸を延長し取り付けた歯車が、昇降する為のチェーンをスロープ上に取り付け、
（５）クローラの車軸を延長した車軸部分を押さえる板状の補助材をスロープの両側面に取り付け、
以上の構成からなる電動車椅子用スロープ。
【手続補正２】
【補正対象書類名】明細書
【補正対象項目名】０００２
【補正方法】変更
【補正の内容】
【０００２】
従来の車椅子の補助機器は、壁面の強度を利用した搬送機器が多い。
現実は、壁面を使えないが無い場合が多い、２階建てアパートの階段、道路から玄関までの段数が少ないが急な階段、階段の各段の高さが不規則な階段、段毎にピッチが異なる階段、これらの障害は、解決されていない。
【先行技術文献】
既に部品として販売されている搬送用チェーンとこれに対応する歯車を検討する。